(57)【要約】      （修正有）【課題】特定付箋紙束開放操作が容易になされて、付箋の使用性を向上させることが可能な付箋を提供する。【解決手段】付箋１には、多数の付箋紙片４が積み重ねられて、互いの重なり面が粘着剤で剥離可能に接合された付箋紙束３を、複数積み重ねた構成の付箋紙ブロック２が備わっている。付箋紙束３毎の背３ａと直交する方向の大きさＬ１、Ｌ２、Ｌ３、Ｌ４をＬ１＜Ｌ２＜Ｌ３＜Ｌ４のように付箋紙束３毎に異にして付箋紙束３毎に設けた段差８を設けることで、付箋紙ブロック２を段違いに構成する。【選択図】図１
0003200588.tif 000002
【実用新案登録請求の範囲】
【請求項１】
多数の付箋紙片が積み重ねられて、互いの重なり面が粘着剤で剥離可能に接合された付箋紙束を、複数積み重ねて構成した付箋紙ブロックが備わる付箋において、
前記付箋紙束毎の大きさと形状の少なくともいずれか１つを互いに異にして、付箋紙束毎に段差を設けてなることを特徴とする付箋。
【請求項２】
請求項１に記載した付箋において
前記付箋紙ブロックは、付箋紙束毎の背と直交する方向の大きさを互いに異にして段違いに構成されている付箋。
【請求項３】
請求項１または請求項２に記載した付箋において
前記付箋紙ブロックは、付箋紙束毎の小口の形状を互いに異にして段違いに構成されている付箋。
【請求項４】
請求項１ないし請求項３のいずれか１項に記載した付箋において
前記付箋紙束毎に付箋紙片の紙質、色彩、又は印刷模様の少なくともいずれか一つを含む外観が付箋紙束毎で互いに異なる付箋。
【請求項５】
請求項１ないし請求項４のいずれか１項に記載した付箋において
前記付箋紙ブロックの背に天糊が設けられている付箋。
【請求項６】
請求項１ないし請求項５のいずれか１項に記載した付箋において
前記各付箋紙束の下面に台紙が剥離可能に設けられている付箋。
【考案の詳細な説明】
【技術分野】
【０００１】
本考案は、例えば目印・備忘のために書籍やノートなどに貼り付けて使用される付箋に関する。
【背景技術】
【０００２】
従来、多数の付箋紙片が積み重ねられ、互いの重なり面が粘着剤で剥離可能に接合された付箋紙束を、複数積み重ねて構成した付箋紙ブロックが備わる構造の付箋として、特許文献１に記載のものが提供されている。この付箋を図９、図１０、図１１、図１２に示す。
【０００３】
図９、図１０において、付箋１は付箋紙ブロック２を備える。この付箋紙ブロック２は、投影平面が合同長方形（合同短冊形）に設定された複数（図９では５個）の付箋紙束３の四辺を揃えて積み重ねることによって構成され、各付箋紙束３は、投影平面が合同長方形（合同短冊形）の多数の付箋紙片４の四辺を揃えて積み重ねることにより構成されている。
【０００４】
多数の付箋紙片４のそれぞれは、図１１に示すように、その裏面の一端側（後端側）の領域Ｌに粘着剤５が設けられており、これらの付箋紙片４が積み重ねられることで、上側の付箋紙片４の粘着剤５が下側の付箋紙片４に剥離可能に接合されて、図９、図１０に示す付箋紙束３が構成される。
【０００５】
図１０、図１１、図１２に示すように、各付箋紙束３は、その下面に剥離可能に台紙６を設けている。台紙６は、粘着剤を保有していない厚手で硬い剥離紙からなり、投影平面が前記付箋紙片４と合同の長方形（合同の短冊形）に設定されている。
【０００６】
図９、図１２に示すように、付箋紙ブロック２の後端面である背２ａには、合成樹脂接着剤による糊を施して付箋紙ブロック２として綴るために、天糊７が１ｍｍ以下の厚さＴを有して設けられている。
【０００７】
図９に示すように、色彩を上から順に青Ｂ、黄Ｙ、オレンジＯ、黄緑ＹＧ、ピンクＰなどの色違いとして５段積みした付箋紙束３で構成される付箋紙ブロック２を備える付箋１において、使用したい付箋紙片４が多数積み重ねられている付箋紙束［以下の説明では、（特定付箋紙束）という］３として、付箋紙束３（オレンジＯ）を選定すると、この特定付箋紙束３（オレンジＯ）から付箋紙片４を剥離する（剥ぎ取る）場合には、特定付箋紙束３（オレンジＯ）直上の付箋紙束３（黄Ｙ）を、図９、図１２に示す天糊７を支点に時計回りに回動して、特定付箋紙束３（オレンジＯ）の上面を開放する操作［以下の説明では、（特定付箋紙束開放操作）という］が必要である。この操作は、付箋紙束３（黄Ｙ）に備わる台紙６の前端部（図９、図１１の左端部）に手指の爪先を引っ掛けて、この台紙６を、図９、図１２に示す天糊７を支点に時計回りに回動することにより実行できる。なお、特定付箋紙束として最上段の付箋紙束３（青Ｂ）を選定した場合は、前記特定付箋紙束開放操作は不要となる。
【０００８】
ところが、前記特許文献１に記載の付箋１に備わる付箋紙ブロック２は、台紙６を含む投影平面が合同長方形（合同短冊形）に設定された複数の付箋紙束３の四辺を揃えて積み重ねることによって構成されているので、天糊７が設けられている背２ａを除いた他の三辺は全てが平滑な鉛直面となる。
【０００９】
特に、付箋紙ブロック２の前端が平滑な鉛直面であると、特定付箋紙束開放操作が困難となって付箋１の使用性を低下させる。詳しくは、この操作の実行時、前述のように、付箋紙束３（黄Ｙ）に備わる台紙６の前端部に手指の先を引っ掛けてこの台紙６を時計回りに回動しようとしても、付箋紙ブロック２の前端が平滑な鉛直面であることにより滑りが生じて容易に引っ掛けることができず、特定付箋紙束開放操作が困難となって付箋１の使用性を低下させる。
【先行技術文献】
【特許文献】
【００１０】
【特許文献１】実用新案登録第３１３９１９１号公報
【考案の概要】
【考案が解決しようとする課題】
【００１１】
本考案は、上記の実情に鑑みてなされたもので、特定付箋紙束開放操作が容易になされて、付箋の使用性を向上させるこが可能な付箋の提供を目的とするものである。
【課題を解決するための手段】
【００１２】
前記目的を達成するために、本考案に係る付箋は、多数の付箋紙片が積み重ねられて、互いの重なり面が粘着剤で剥離可能に接合された付箋紙束を、複数積み重ねて構成した付箋紙ブロックが備わる付箋において、前記付箋紙束毎の大きさと形状の少なくともいずれか１つを互いに異にして、付箋紙束毎に段差を設けてなることを特徴としている。
【００１３】
前記構成の付箋によると、特定付箋紙束とその直上の付箋紙束毎に設けた段差に手指の先を滑ることなく簡単に引っ掛けまたは当接することができるので、特定付箋紙束開放操作が容易となって、付箋の使用性を向上させることが可能となる。
【００１４】
付箋紙ブロックは、付箋紙束毎の背と直交する方向の大きさを互いに異にして段違いに構成されている。これによれば、特定付箋紙束直上の付箋紙束毎に手指の先を滑ることなく簡単に引っ掛けまたは当接することができるので、特定付箋紙束開放操作が容易となって、付箋の使用性を向上させることが可能となる。
【００１５】
前記付箋紙ブロックは、付箋紙束毎の小口の形状を互いに異にして段違いに構成されている。これによっても、特定付箋紙束直上の付箋紙束毎に手指の先を滑ることなく簡単に引っ掛けまたは当接することができるので、特定付箋紙束開放操作が容易となって、付箋の使用性を向上させることが可能となる。また、前記付箋紙ブロックは、付箋紙束毎の小口の形状を互いに異にして段違いに構成すると共に、付箋紙束毎の背と直交する方向の大きさを互いに異にして段違いに構成してもよい。なお、前記の「小口」とは、付箋紙束の前端をいう。
【００１６】
本考案に係る付箋は、前記付箋紙束毎に付箋紙片の紙質、色彩、又は印刷模様の少なくともいずれか一つを含む外観が付箋紙束毎で互いに異なっている。これによれば、用途に適合する紙質の付箋紙束の使用が可能となり、かつ、使用する付箋紙束の外観は、広い選択域からセンスに応じて選択することができるので、使用者の満足感を充足させることが可能となる。
【００１７】
本考案に係る付箋に備わる付箋紙ブロックの背に天糊が設けられている。これによれば、付箋紙ブロックとして強固に綴られるために、特定付箋紙束開放操作およびその後になされる付箋紙片の剥離によって付箋紙ブロックが形態破壊しなくなるので、各付箋紙束が分散しなくなって、各付箋紙束の紛失、延いては付箋紙片の紛失を避けることができる。
【００１８】
本考案に係る付箋の各付箋紙束の下面に台紙が剥離可能に設けられる。これによると、台紙は粘着剤を保有していないことから、各付箋紙束同士は接着されることがないので、特定付箋紙束と、この特定付箋紙束が重なり合う他の付箋紙束との判別が容易となる。また、特定付箋紙束開放操作も容易になって付箋の使用性が向上する。
【考案の効果】
【００１９】
本考案に係る付箋によれば、特定付箋紙束とその直上の付箋紙束毎に設けた段差に手指の先を滑ることなく簡単に引っ掛けまたは当接することができるので、特定付箋紙束開放操作が容易となって、付箋の使用性を向上させることが可能となる。
【図面の簡単な説明】
【００２０】
【図１】本考案に係る付箋の第１実施例を示す斜視図である。
【図２】図２（ａ）は図１の側面図、図２（ｂ）は図２（ａ）のＡ−Ａ線より先端部分の拡大図である。
【図３】本考案に係る付箋の第２実施例を示す斜視図である。
【図４】図４（ａ）は図３の正面図、図４（ｂ）は図３の平面図である。
【図５】本考案に係る付箋の第３実施例を示す斜視図である。
【図６】図６（ａ）は図５の正面図、図６（ｂ）は図５の平面図、図６（ｃ）は図５の側面図である。
【図７】本考案に係る付箋の第２実施例の第１変形例を示す斜視図である。
【図８】図８（ａ）は図７の正面図、図８（ｂ）は図７の平面図である。
【図９】従来例の概略側面図である。
【図１０】従来例における付箋紙束を拡大して示す斜視図である。
【図１１】従来例における付箋紙束の一部を分解して示す説明図である。
【図１２】従来例における付箋紙ブロックの一部を拡大して示す説明図である。
【考案を実施するための最良の形態】
【００２１】
以下、本考案に係る付箋の好ましい実施例を図面に基づいて説明する。図１は本考案に係る付箋の第１実施例を示す斜視図であり、図２（ａ）は図１の側面図、図２（ｂ）は図２（ａ）のＡ−Ａ線より先端部分の拡大図、図３は本考案に係る付箋の第２実施例を示す斜視図であり、図４（ａ）は図３の正面図、図４（ｂ）は図３の平面である。なお、図９〜図１２に示す従来例と同一部分には、同一符号を付すとともに、従来例で説明した粘着剤５の図示は省略する。
【００２２】
図１、図２（ａ）、図２（ｂ）において、付箋１は、付箋紙ブロック２を備え、付箋紙ブロック２は、複数（図示例では４個）の付箋紙束３を積み重ねることにより構成されている。各付箋紙束３は、投影平面が長方形（短冊形）に設定されているとともに、互いに等しい幅方向の大きさを有し、長手方向の大きさは付箋紙束３毎に異にされ、各付箋紙束３は、投影平面が合同長方形（合同短冊形）の多数の付箋紙片４の四辺を揃えて積み重ねることにより構成されている。
【００２３】
多数の付箋紙片４のそれぞれは、その裏面の一端側（後端側）の領域に粘着剤（図１１の符号５参照）が設けられており、これらの付箋紙片４が積み重ねられることで、上側の付箋紙片４の粘着剤が下側の付箋紙片４に剥離可能に接合されて、図１、図２（ａ）、図２（ｂ）の付箋紙束３が構成される。
【００２４】
各付箋紙束３の下面に台紙６が設けられている。詳しくは、各付箋紙束３を構成している多数の付箋紙片４における最下の付箋紙片４の下面に台紙６を設けている。台紙６は、粘着剤を保有していない厚手で硬い剥離紙からなり、投影平面が各付箋紙束３において付箋紙片４と合同の長方形（合同の短冊形）に設定されているとともに、前記最下の付箋紙片４の下面に、当該最下の付箋紙片４側の粘着剤（図１１の符号５参照）で剥離可能に接合されている。また、付箋紙ブロック２の後端面である背２ａには、合成樹脂接着剤による糊を施して付箋紙ブロック２として綴るために、天糊７が１ｍｍ以下の厚さＴを有して設けられている。
【００２５】
各付箋紙束３の色彩は、上から順に黄Ｙ、赤Ｒ、緑Ｇ、青Ｂなどの色違いとされ、付箋紙ブロック２の背２ａに含まれる各付箋紙束３の背３ａから、各付箋紙束３の小口３ｂまでの長手方向の大きさは、付箋紙束３毎に異にしている。詳しくは、付箋紙束（黄Ｙ）３の長手方向の大きさＬ１、付箋紙束（赤Ｒ）３の長手方向の大きさＬ２、付箋紙束（緑Ｇ）３の長手方向の大きさＬ３、付箋紙束（青Ｂ）３の長手方向の大きさＬ４の互いの関係を、Ｌ１＜Ｌ２＜Ｌ３＜Ｌ４に設定している。これにより、付箋１には、付箋紙束（赤Ｒ）３の上に付箋紙束（黄Ｙ）３の小口３ｂからなる段差８が設けられ、付箋紙束（緑Ｇ）３の上に付箋紙束（赤Ｒ）３の小口３ｂからなる段差８が設けられるとともに、付箋紙束（青Ｂ）３の上に付箋紙束（緑Ｇ）３の小口３ｂからなる段差８が設けられた付箋紙ブロック２が備わることとなる。すなわち、付箋紙ブロック２は、付箋紙束３毎の背３ａと直交する方向の大きさＬ１、Ｌ２、Ｌ３、Ｌ４を互いに異にして段違いに構成されている。なお、段差８は平滑な鉛直面を呈する。
【００２６】
前記構成の付箋１において、付箋紙束（緑Ｇ）３を特定付箋紙束に選定したとすると、特定付箋紙束（緑Ｇ）３の直上付箋紙束（赤Ｒ）３の小口３ｂからなる段差８に対して、詳しくは段差８の付け根に臨む台紙６の先端に対して、特定付箋紙束（緑Ｇ）３の上面を案内にして、手指の先を簡単に引っ掛けまたは当接することができるので、特定付箋紙束開放操作が容易となって、付箋１の使用性を向上させることが可能となる。また、付箋紙束（赤Ｒ）３を特定付箋紙束に選定すれば、特定付箋紙束（赤Ｒ）３の直上付箋紙束（黄Ｙ）３の小口３ｂからなる段差８に対して、詳しくは段差８の付け根に臨む台紙６の先端に対して、特定付箋紙束（赤Ｒ）３の上面を案内にして、手指の先を簡単に引っ掛けまたは当接することができるので、特定付箋紙束開放操作が容易となって、付箋１の使用性を向上させることが可能となる。
【００２７】
各付箋紙束３に台紙６が備わっており、台紙６は粘着剤を保有していないことから、特定付箋紙束３と、この特定付箋紙束３が重なり合う他の付箋紙束３との判別が容易となる。また、特定付箋紙束開放操作が容易となって付箋１の使用性の向上に寄与する。
【００２８】
付箋紙ブロック２の背２ａに天糊７が設けられていることで、付箋紙ブロック２として強固に綴られるために、特定付箋紙束開放操作およびその後になされる付箋紙片４の剥離によって、付箋紙ブロック２が形態破壊しなくなるので、各付箋紙束３が分散しなくなって、各付箋紙束３の紛失、延いては付箋紙片４の紛失を避けることができる。詳しくは、特定付箋紙束（緑Ｇ）３の直上の付箋紙束（赤Ｒ）３に特定付箋紙束開放操作を加えても、天糊７の接着力により付箋紙束（赤Ｒ）３および付箋紙束３（黄Ｙ）の特定付箋紙束３（緑Ｇ）からの分離が防止されるので、付箋紙ブロック２は形態破壊しない。このため、各付箋紙束３が分散しなくなって、各付箋紙束３の紛失、延いては付箋紙片４の紛失を避けることができる。そして、特定付箋紙束開放操作後に特定付箋紙束３（緑Ｇ）から付箋紙片４を剥離しても、天糊７の接着力により付箋紙束（赤Ｒ）３および付箋紙束３（黄Ｙ）の特定付箋紙束３（緑Ｇ）からの分離が防止されるので、付箋紙ブロック２は形態破壊しない。このため、各付箋紙束３が分散しなくなって、各付箋紙束３の紛失、延いては付箋紙片４の紛失を避けることができる。
【００２９】
図３、図４（ａ）、図４（ｂ）に基づいて、本考案に係る付箋の第２実施例について説明する。なお、前記図１、図２（ａ）、図２（ｂ）の第１実施例と同一または相当部分には、同一符号を付して重複する詳しい構造および作用の説明は省略する。
【００３０】
図３、図４（ａ）、図４（ｂ）において、付箋１の付箋紙ブロック２は、複数（図示例では３個）の付箋紙束３を積み重ねることにより構成されている。各付箋紙束３は、投影平面が合同四角形に形成され、各付箋紙束３の小口３ｂの形状は、後述のように付箋紙束３毎に異にしている。
【００３１】
各付箋紙束３の色彩は、上から順に黄Ｙ、赤Ｒ、緑Ｇなどの色違いとされ、付箋紙束（黄Ｙ）３小口３ｂには、その幅方向の一端部（左端部）に偏って投影平面不等脚台形の見出し部９を前方に突出させ、付箋紙束（赤Ｒ）３の小口３ｂには、その幅方向の中央部に投影平面等脚台形の見出し部１０を前方に突出させるとともに、付箋紙束（緑Ｇ）３の小口３ｂには、その幅方向の一端部（右端部）に偏り、見出し部９に対称である投影平面不等脚台形の見出し部１１を突出させている。各見出し部９、１０、１１は互いに重ならず各別に目視可能となっている。これにより、付箋１には、付箋紙束（赤Ｒ）３の見出し部１０の上に、付箋紙束（黄Ｙ）３の小口３ｂからなる段差８が設けられ、付箋紙束（緑Ｇ）３の見出し部１１の上に、付箋紙束（赤Ｒ）３の小口３ｂからなる段差８が設けられた付箋紙ブロック２が備わることとなる。すなわち、付箋紙ブロック２は、付箋紙束３毎の小口３ｂの形状を互いに異にして段違いに構成されている。なお、段差８は平滑な鉛直面を呈する。
【００３２】
前記構成の付箋１において、付箋紙束（緑Ｇ）３を特定付箋紙束に選定したとすると、特定付箋紙束（緑Ｇ）３の直上付箋紙束（赤Ｒ）３の小口３ｂからなる段差８に対して、詳しくは段差８の付け根に臨む台紙６の先端に対して、手指の先を簡単に引っ掛けまたは当接することができるので、特定付箋紙束開放操作が容易となって、付箋１の使用性を向上させることが可能となる。また、付箋紙束（赤Ｒ）３を特定付箋紙束に選定すれば、特定付箋紙束（赤Ｒ）３の直上付箋紙束（黄Ｙ）３の小口３ｂからなる段差８に対して、詳しくは段差８の付け根に臨む台紙６の先端に対して、手指の先を簡単に引っ掛けまたは当接することができるので、特定付箋紙束開放操作が容易となって、付箋１の使用性を向上させることが可能となる。
【００３３】
前記第１、第２実施例の付箋１において、付箋紙束３毎に付箋紙片４の紙質、つまり付箋紙束３毎の付箋紙片４の紙質を、例えば、メモやインデックスとして好適な上質紙、書籍・ノートの文字や図形などの下地の上に貼り付けてその下地を目視可能に特定するのに好適な半透明のグラシン紙、メッセージの記入に好適なクラフト紙などに分類してもよいし、付箋紙束３毎の付箋紙片４の色彩を変えてもよいし、付箋紙束３毎の付箋紙片４の印刷模様を変えてもよい。前記のように紙質、色彩、印刷模様の少なくともいずれか一つを含む外観を、付箋紙束３毎で互いに異にすると、用途に適合する紙質の付箋紙束３の使用（付箋紙片４の使用）が可能となり、かつ、使用する付箋紙束３（付箋紙片４）の外観は、広い選択域からセンスに応じて選択することができるので、使用者の満足感を充足させることが可能となる。
【００３４】
図５、図６（ａ）、図６（ｂ）、図６（ｃ）に基づいて、本考案に係る付箋の第３実施例について説明する。
図５は、第３実施例を示す斜視図、図６（ａ）は図５の正面図、図６（ｂ）は図５の平面図、図６（ｃ）は図５の側面図である。なお、第１実施例及び第２実施例と同一部分には、同一符号を付して重複する構造および作用の説明は省略する。
【００３５】
図５、図６（ａ）、図６（ｂ）、図６（ｃ）において、前記第１実施例、第２実施例と異なるのは、付箋紙束（黄Ｙ）３の小口３ｂの幅方向一端部（左端部）に偏って突出する見出し部９、付箋紙束（赤Ｒ）３の小口３ｂの幅方向の中央部に突出する見出し部１０および付箋紙束（緑Ｇ）３の小口３ｂの幅方向他端部（右端部）に偏って突出する見出し部１１の投影平面形状がそれぞれ半円形に設定されている点と、付箋紙ブロック２の背２ａに含まれる各付箋紙束３の背３ａから、各付箋紙束３の小口３ｂまでの長手方向の大きさは、付箋紙束３毎に異にしている点である。各付箋紙束３の小口３ｂまでの長手方向の大きさについては、付箋紙束（黄Ｙ）３の長手方向の大きさＬ１、付箋紙束（赤Ｒ）３の長手方向の大きさＬ２、付箋紙束（緑Ｇ）３の長手方向の大きさＬ３の互いの関係を、Ｌ１＜Ｌ２＜Ｌ３に設定している。これにより、付箋１には、付箋紙束（赤Ｒ）３の上に付箋紙束（黄Ｙ）３の小口３ｂからなる段差８が設けられ、付箋紙束（緑Ｇ）３の上に付箋紙束（赤Ｒ）３の小口３ｂからなる段差８が設けられた付箋紙ブロック２が備わることとなる。すなわち、付箋紙ブロック２は、付箋紙束３毎の背３ａと直交する方向の大きさＬ１、Ｌ２、Ｌ３を互いに異にして段違いに構成されている。このような構成の付箋１であっても、前記第１実施例と同様の作用効果を奏することができる。また、図５、図６では、見出し部９、１０は付箋紙束（赤Ｒ）３と付箋紙束（緑Ｇ）３の小口３ｂからはみ出さない態様で表現しているが、見出し部９、１０を付箋紙束（赤Ｒ）３と付箋紙束（緑Ｇ）３の小口３ｂからはみ出させて前方に突出した構成とすると、前記第２実施例と同様の作用効果を奏することができる。
【００３６】
前記第２実施例の第１変形例を図７、図８（ａ）、図８（ｂ）に基づいて説明する。
図７は、第２実施例の第１変形例を示す斜視図、図８（ａ）は図７の正面図、図８（ｂ）は図７の平面図である。なお、図３、図４（ａ）、図４（ｂ）の第２実施例と同一部分には、同一符号を付して重複する構造および作用の説明は省略する。
【００３７】
図７、図８（ａ）、図８（ｂ）において、前記第２実施例と異なるのは、付箋紙束（黄Ｙ）３の小口３ｂの幅方向一端部（左端部）に偏って突出する見出し部９、付箋紙束（赤Ｒ）３の小口３ｂの幅方向の中央部に突出する見出し部１０および付箋紙束（緑Ｇ）３の小口３ｂの幅方向他端部（右端部）に偏って突出する見出し部１１の投影平面形状がそれぞれ波形に設定されている点である。このような構成の付箋１であっても、前記第２実施例と同様の作用効果を奏することができる。
【００３８】
本考案に係る付箋１は、前記実施例のみに限定されるものではなく、その趣旨および技術思想を逸脱しない範囲であれば、構造変形が可能である。
【産業上の利用可能性】
【００３９】
本考案は、例えば目印・備忘のために書籍やノートなどに貼り付けて使用するのに有用である。
【符号の説明】
【００４０】
１  付箋
２  付箋紙ブロック
２ａ  付箋紙ブロックの背
３  付箋紙束
３ｂ  付箋紙束の小口
４  付箋紙片
５  粘着剤
６  台紙
７  天糊
８  段差
Ｌ１  付箋紙束の背と直交する方向の大きさ
Ｌ２  付箋紙束の背と直交する方向の大きさ
Ｌ３  付箋紙束の背と直交する方向の大きさ
Ｌ４  付箋紙束の背と直交する方向の大きさ
【図１】
0003200588.tif 000003
【図２】
0003200588.tif 000004
【図３】
0003200588.tif 000005
【図４】
0003200588.tif 000006
【図５】
0003200588.tif 000007
【図６】
0003200588.tif 000008
【図７】
0003200588.tif 000009
【図８】
0003200588.tif 000010
【図９】
0003200588.tif 000011
【図１０】
0003200588.tif 000012
【図１１】
0003200588.tif 000013
【図１２】
0003200588.tif 000014